【手続補正書】
【提出日】平成19年5月17日(2007.5.17)
【手続補正１】
【補正対象書類名】明細書
【補正対象項目名】発明の名称
【補正方法】変更
【補正の内容】
【発明の名称】時系列信号処理方法及び時系列信号処理装置
【手続補正２】
【補正対象書類名】特許請求の範囲
【補正対象項目名】全文
【補正方法】変更
【補正の内容】
【特許請求の範囲】
【請求項１】
時系列信号を符号化前に記憶し、
前記記憶した時系列信号から第一時刻に記憶した時系列信号を出力する要求を受信し、
前記第一時刻に記憶した時系列信号を記憶しているか判断し、
当該第一時刻に記憶した時系列信号を記憶しているときは、当該第一時刻に記憶した時系列信号と当該第一時刻を示す情報とを対応付けて出力する時系列信号処理方法。
【請求項２】
請求項１の時系列信号処理方法であって、
時系列信号の記憶はリングバッファに行い、
前記リングバッファの全ての領域に時系列信号を記憶すると、当該リングバッファの記憶開始領域から時系列信号を上書きする時系列信号処理方法。
【請求項３】
請求項２の時系列信号処理方法であって、
前記判断は、前記リングバッファの記憶開始領域への上書き回数と、前記リングバッファの全ての領域の容量と、単位時間あたりに前記リングバッファに記憶される時系列信号の容量とに基づいて実行する時系列信号処理方法。
【請求項４】
請求項２の時系列信号処理方法であって、
前記判断は、前記リングバッファの記憶開始領域への上書き回数と、前記リングバッファの全ての領域の容量と、単位時間あたりに前記リングバッファに記憶される時系列信号の容量とに基づいて、前記リングバッファに記憶されている時系列信号の記憶時刻を算出して、前記第一の時刻とを比較して実行する時系列信号処理方法。
【請求項５】
請求項２の時系列信号処理方法であって、
前記リングバッファの記憶開始領域への上書き回数を取得し、
前記リングバッファの全ての領域の容量に前記上書き回数を乗じた値を単位時間あたりに記憶される時系列信号の容量で除算し、当該除算した値に前記記憶開始領域に記憶開始した第二の時刻を加算し、前記記憶開始領域から前記リングバッファの各領域までの差に応じて、当該各領域に記憶されている時系列信号の記憶時刻と前記第一の時刻とを比較して、当該第一の時刻に記憶された時系列信号の有無を判断する時系列信号処理方法。
【請求項６】
請求項２の時系列信号処理方法であって、
前記リングバッファの記憶開始領域への上書き回数ｎを取得し、
前記リングバッファの領域のうち、最新の時刻の時系列信号が記憶された領域より前の第一領域については、前記リングバッファの全ての領域の容量に前記上書き回数ｎを乗じた値を単位時間あたりに記憶される時系列信号の容量で除算し、当該除算した値に前記記憶開始領域に記憶開始した第二の時刻を加算して第三の時刻を算出し、前記記憶開始領域から前記第一領域までの容量を単位時間あたりに記憶される時系列信号の容量で除算して前記第三の時刻を加算した値を、前記第一領域の記憶時刻とし、
前記リングバッファの領域のうち、最新の時刻の時系列信号が記憶された領域より後の第二領域については、前記リングバッファの全ての領域の容量に前記上書き回数ｎから1を減産した値を乗じた値を単位時間あたりに記憶される時系列信号の容量で除算し、当該除算した値に前記記憶開始領域に記憶開始した第二の時刻を加算して第四の時刻を算出し、前記記憶開始領域から前記第二領域までの容量を単位時間あたりに記憶される時系列信号の容量で除算して前記第四の時刻を加算した値を、前記第二領域の記憶時刻とし、
前記第一領域又は第二領域の記憶時刻と前記第一の時刻とを比較して、当該第一の時刻に記憶された時系列信号の有無を判断する時系列信号処理方法。
【請求項７】
時系列信号を符号化前に記憶する記憶手段と、
前記記憶した時系列信号から第一時刻に記憶した時系列信号を出力する要求を受信し、当該第一時刻に記憶した時系列信号を記憶しているか判断し、当該第一時刻に記憶した時系列信号を記憶しているときは、当該第一時刻に記憶した時系列信号と当該第一時刻を示す情報とを対応付けて出力するデータ要求処理手段と、
を備える時系列信号処理装置。
【請求項８】
請求項７の時系列信号処理装置であって、
前記記憶手段は当該記憶手段の全ての領域に時系列信号を記憶すると、当該記憶手段の記憶開始領域から時系列信号を上書きするリングバッファである時系列信号処理装置。
【請求項９】
請求項８の時系列信号処理装置であって、
前記データ要求処理手段は、前記リングバッファの記憶開始領域への上書き回数と、前記リングバッファの全ての領域の容量と、単位時間あたりに前記リングバッファに記憶される時系列信号の容量とに基づいて前記第一時刻に記憶した時系列信号を記憶しているか判断する時系列信号処理装置。
【請求項１０】
請求項８の時系列信号処理装置であって、
前記データ要求処理手段は、前記リングバッファの記憶開始領域への上書き回数と、前記リングバッファの全ての領域の容量と、単位時間あたりに前記リングバッファに記憶される時系列信号の容量とに基づいて、前記リングバッファに記憶されている時系列信号の記憶時刻を算出して、前記第一の時刻とを比較して当該第一時刻に記憶した時系列信号を記憶しているか判断する時系列信号処理装置。
【請求項１１】
請求項８の時系列信号処理装置であって、
前記データ要求処理手段は前記リングバッファの記憶開始領域への上書き回数を取得し、
前記リングバッファの全ての領域の容量に前記上書き回数を乗じた値を単位時間あたりに記憶される時系列信号の容量で除算し、当該除算した値に前記記憶開始領域に記憶開始した第二の時刻を加算し、前記記憶開始領域から前記リングバッファの各領域までの差に応じて、当該各領域に記憶されている時系列信号の記憶時刻と前記第一の時刻とを比較して、当該第一の時刻に記憶された時系列信号の有無を判断する時系列信号処理装置。
【請求項１２】
請求項８の時系列信号処理装置であって、
前記データ要求処理手段は前記リングバッファの記憶開始領域への上書き回数ｎを取得し、
前記リングバッファの領域のうち、最新の時刻の時系列信号が記憶された領域より前の第一領域については、前記リングバッファの全ての領域の容量に前記上書き回数ｎを乗じた値を単位時間あたりに記憶される時系列信号の容量で除算し、当該除算した値に前記記憶開始領域に記憶開始した第二の時刻を加算して第三の時刻を算出し、前記記憶開始領域から前記第一領域までの容量を単位時間あたりに記憶される時系列信号の容量で除算して前記第三の時刻を加算した値を、前記第一領域の記憶時刻とし、
前記リングバッファの領域のうち、最新の時刻の時系列信号が記憶された領域より後の第二領域については、前記リングバッファの全ての領域の容量に前記上書き回数ｎから1を減算した値を乗じた値を単位時間あたりに記憶される時系列信号の容量で除算し、当該除算した値に前記記憶開始領域に記憶開始した第二の時刻を加算して第四の時刻を算出し、前記記憶開始領域から前記第二領域までの容量を単位時間あたりに記憶される時系列信号の容量で除算して前記第四の時刻を加算した値を前記第二領域の記憶時刻とし、
前記第一領域又は第二領域の記憶時刻と前記第一の時刻とを比較して、当該第一の時刻に記憶された時系列信号の有無を判断する時系列信号処理装置。
【手続補正３】
【補正対象書類名】明細書
【補正対象項目名】００２８
【補正方法】変更
【補正の内容】
【００２８】
【数３】
2007110749.tif 000001